(57)【要約】【課題】音圧レベルの低下を防止しつつ、正面軸を外れた方向の指向性の改善を図ったスピーカを得ること。【解決手段】スピーカ１０は、振動板１３と、振動板１３の前面の中央部に所定の間隙をおいて配置された第１のイコライザ１１と、バッフル１２もしくはフレームに結合され、振動板１３の一部を覆うようにその振動板１３と所定の間隙をおいて配置されると共に、振動板１３の外周側から中心軸線側に突出するように配置された第２のイコライザ１４と、を有する。なお、第２のイコライザ１４の振動板１３の中心軸線側に向かう面は、曲線を含む形状とされるのが好ましい。【選択図】図１
2008136165.tif 000002
【特許請求の範囲】
【請求項１】
振動板と、
上記振動板の前面の中央部に所定の間隙をおいて配置された第１のイコライザと、
バッフルもしくはフレームに結合され、上記振動板の一部を覆うようにその振動板と所定の間隙をおいて配置されると共に、上記振動板の外周側から中心軸線側に突出するように配置された第２のイコライザと、
を有することを特徴とするスピーカ。
【請求項２】
前記第２のイコライザの前記振動板の中心軸線側に向かう面は、曲線を含む形状となっていることを特徴とする請求項１記載のスピーカ。
【請求項３】
前記第２のイコライザは、前記振動板の斜面部の一部を覆うように、２個対称的に配置されていることを特徴とする請求項１または２記載のスピーカ。
【請求項４】
前記第２のイコライザは、前記第１のイコライザの直径方向と同じ方向に、または直交して配置されていることを特徴とする請求項３記載のスピーカ。
【請求項５】
前記振動板をバランスドーム型とし、前記第２のイコライザは、前記振動板の斜面部の略１／２を覆い、前記振動板に対向する対向面を斜面としたことを特徴とする請求項１から４のいずれか１項記載のスピーカ。
【請求項６】
前記バッフルもしくは前記フレームを前記振動板の中心軸線を中心として、前記第２のイコライザを備える径方向内側の領域である内側領域と、その外側の領域である外側領域とに２分割し、上記内側領域を上記外側領域に対して相対回転可能としたことを特徴とする請求項１から５のいずれか１項記載のスピーカ。
【請求項７】
前記第１のイコライザは前記内側領域に結合されていることを特徴とする請求項６記載のスピーカ。
【請求項８】
前記内側領域における外周部近傍および前記外側領域における内周部近傍のいずれか一方には、全周に亘って曲線状または鋭角の角部を有する凹凸が連続形成されると共に、前記内側領域における外周部近傍および前記外側領域における内周部近傍のいずれか他方には、上記凹凸の凹部と係合する係合部が形成されていることを特徴とする請求項６または７記載のスピーカ。
【発明の詳細な説明】
【技術分野】
【０００１】
本発明は、スピーカに関する。
【背景技術】
【０００２】
従来における高音用スピーカ（ツイータ）は、たとえば、図１０にその構成が示されるように、イコライザ５１（位相等価器）と、振動板外周からつながるバッフル５２（またはフレーム）と、振動板５３と、を有している。
【０００３】
イコライザ５１は、振動板５３の前面に所定の間隙をおいて配置され、円盤状もしくはドーナツ状の形状とされている。このイコライザ５１では、振動板５３の中心部のドーム部分の頂点から発せられる音波と、ドーム下部から発せられる音波とでは位相が異なるため、音波の干渉が生じる。このため、イコライザ５１を配置して位相干渉を調整し、高音用スピーカの高音部の周波数特性を良好にするための設計がなされている。
【０００４】
一般的なイコライザ、あるいはリフレクタ（反射板）に関する技術については、従来から多数特許出願されている。たとえば、振動板の外周部から振動板と一定の間隙をもって振動板の前面の一部を覆うように形成されたイコライザをフレームの周縁に結合し、振動板から発せられる音波を、振動板の覆いが無い部分から特定の方向（角度をもった方向）に向けて放射する、指向性を改善したスピーカが知られている（たとえば、特許文献１参照）。また、リフレクタ（反射板）を用いて音波を反射させ、リフレクタの設置位置とは反対方向の指向性を改善するスピーカも知られている（たとえば、特許文献２参照）。
【０００５】
【特許文献１】特開平６−３１１５７６号公報
【特許文献２】実開平１−１７６９１号公報
【発明の開示】
【発明が解決しようとする課題】
【０００６】
スピーカ、特に、車載用スピーカでは、スピーカの正面で音を聴くことができない場合が多い。そのような場合、スピーカの正面でない目的とする方向、すなわち、人がいる方向に必要な音波を流し、音質の改善を図ることが重要となる。しかしながら、特許文献１や２の従来技術では、指向特性などは改善されるが、音圧が落ちるなど、音質改善には、十分対応できていない。
【０００７】
ところで、一般的に、スピーカの振動板口径を原因とする指向性の劣化は、次の数式１、すなわち限界周波数をｆｃとすると、ｆｃ＝１７０００／ａ［Ｈｚ］（但し、ａ：有効振動板半径（ｃｍ））で表現することかできる。この数式１から、直径２．５ｃｍのツイータでは、１３．６ｋＨｚ以上で指向特性が劣化し、イコライザ５１あるいはリフレクタのみでは、１３．６ｋＨｚ以上の周波数の指向特性を良好にすることは困難である。同種の問題は、高音用スピーカ以外に中音用、低音用の各スピーカでも発生している。しかし、特に、振動板口径を小さくした高音用スピーカの場合には、さらに限界周波数を上げようとすると、振動板口径がさらに小さくなるため、振動板の放射面積が小さくなり、スピーカとしての音圧レベルの低下が生じ、スピーカの放射効率が極端に低下してしまう。
【０００８】
本発明は、上述した問題を解決するためになされたものであり、音圧レベルの低下を防止しつつ、正面軸を外れた方向の指向性の改善をはかったスピーカを提供することを目的とする。
【課題を解決するための手段】
【０００９】
上述した課題を解決するために、本発明のスピーカは、振動板と、振動板の前面の中央部に所定の間隙をおいて配置された第１のイコライザと、バッフルもしくはフレームに結合され、振動板の一部を覆うようにその振動板と所定の間隙をおいて配置されると共に、振動板の外周側から中心軸線側に突出するように配置された第２のイコライザと、を有している。
【００１０】
また、他の発明は、上述の発明のスピーカに加え、第２のイコライザの振動板の中心軸線側に向かう面は、曲線を含む形状となっているものである。
【００１１】
また、他の発明は、上述の発明のスピーカに加え、第２のイコライザは、振動板の斜面部の一部を覆うように、２個対称的に配置されている。
【００１２】
また、他の発明は、上述の発明のスピーカに加え、第２のイコライザは、第１のイコライザの直径方向と同じ方向に、または直交して配置されている。
【００１３】
さらに、他の発明は、上述の発明のスピーカに加え、振動板をバランスドーム型とし、第２のイコライザは、振動板の斜面部の略１／２を覆い、振動板に対向する対向面を斜面としたものである。
【００１４】
さらに、他の発明は、上述の発明のスピーカに加え、バッフルもしくはフレームを振動板の中心軸線を中心として、第２のイコライザを備える径方向内側の領域である内側領域と、その外側の領域である外側領域とに２分割し、内側領域を外側領域に対して相対回転可能としたものである。
【００１５】
さらに、他の発明は、上述の発明のスピーカに加え、第１のイコライザは内側領域に結合されている。
【００１６】
さらに、他の発明は、上述の発明のスピーカに加え、内側領域における外周部近傍および外側領域における内周部近傍のいずれか一方には、全周に亘って曲線状または鋭角の角部を有する凹凸が連続形成されると共に、内側領域における外周部近傍および外側領域における内周部近傍のいずれか他方には、凹凸の凹部と係合する係合部が形成されている。
【発明の効果】
【００１７】
本発明によれば、音圧レベルの低下を防止しつつ、正面軸を外れた方向の指向性の改善を図ったスピーカを得ることができる。
【発明を実施するための最良の形態】
【００１８】
以下、本発明の第１，第２の実施の形態に係るスピーカを図１から図４を参照しながら説明する。まず初めに、本発明の第１の実施の形態にかかわる高音用スピーカ（以下、単に「スピーカ」という。）１０について説明する。図１に示されるように、本発明の第１の実施の形態に係るスピーカ１０は、従来のイコライザ５１と同様なイコライザ１１（以下、「第１のイコライザ１１」という。）と、バッフル５２と同様なバッフル（またはフレーム）１２と、振動板５３と同様な振動板１３を有している。このスピーカ１０は、これらの構成に加え、第２のイコライザ１４を有している。スピーカ１０は、第１のイコライザ１１により、スピーカ１０の正面軸方向の周波数特性を位相等価によって良好にするとともに、振動板１３の斜面部１３ａ（図４参照）の概ね１／２程度に掛かるように対向配置された２つの第２のイコライザ１４，１４によって正面軸から外れた方向の周波数特性をも良好にしている。
【００１９】
すなわち、第１のイコライザ１１は、従来同様、振動板１３の前面の中央部に、その振動板１３に対して所定の間隙をおいて配置されている。また、第２のイコライザ１４，１４は、バッフル１２もしくはフレームに結合され（ここでは、バッフル１２と第２のイコライザ１４は同じ材料で一体形成される）、振動板１３の斜面部１３ａの一部を覆うように、かつ前面側に所定の間隙をおいて振動板１３に対向するように配置される。上述した構成とすることで、限界周波数ｆｃを決める有効振動板半径ａを一方向のみ等価的に小さくなるようにすることができる。第１のイコライザ１１は、渡し線１５，１５によって振動板１３の上を橋渡しされるように形成されている。
【００２０】
なお、第２のイコライザ１４，１４は、互いに対向する面が曲線形状とされている。しかし、互いの対向する面を、曲線と直線の組み合わされた形状を持つものとしても良い。このように、第２のイコライザ１４の振動板１３の中心軸線に向かう面の外形形状（前面側から見た形状）を曲線形状とすると、振動板１３から放射される音波の回折の点においても有効である。しかし、互いに対向する面を直線のみの形状としても良い。この対向する面について、さらに具体的に述べると、第２のイコライザ１４，１４の互いに対向する面は、図３（Ａ）に示すように、曲線となる曲線部１４ａと、直線となる直線部１４ｂ，１４ｂを有するようにしたり、図３（Ｂ）に示すように、曲線部１４ａからのみなるようにしても良い。なお、第２のイコライザ１４，１４の対向する面とは反対となる側は、図３に示すように外側に行く程厚さが薄くなるようなテーパー面１４ｃとするのが好ましいが、他の形状にしても良い。
【００２１】
本発明の第１の実施の形態のスピーカ１０では、第１のイコライザ１１の直径方向、すなわち渡し線１５の方向、と直交する方向に第２のイコライザ１４，１４が配置されるものとしたが、図２に示される本発明の第２の実施の形態のスピーカ１０Ａのように、直径方向（インライン）と同じ方向に、第２のイコライザ１４，１４を配置してもよい。
【００２２】
図１、図２に示す本発明の第１，第２の実施の形態にかかわるスピーカ１０，１０Ａにおいて、振動板１３は、振動板口径φ１（図４参照）が３０ｍｍのバランスドーム型の７５μｍのフィルム振動板を用いている。当該振動板１３に組み合わされるボイスコイル口径φ２（図４参照）は、１４ｍｍとし、第１のイコライザ１１の外形直径も１４ｍｍとしている。また、第２のイコライザ１４は、バッフル１２と同じプラスチックで一体形成され、対向配置される２つの第２のイコライザ１４，１４間の距離Ｄを２０ｍｍとしている。この距離Ｄをコントロールすることにより、限界周波数ｆｃを変更でき、周波数特性を調整することができる。
【００２３】
上述した本発明の第１，第２の実施の形態にかかわるスピーカ１０，１０Ａによれば、対向配置される第２のイコライザ１４，１４間の距離Ｄの大小により、所定方向の限界周波数ｆｃが決定される。この第２のイコライザ１４の径方向の幅Ｗ（図１、図４参照）を必要以上に大きく設定した場合、振動板１３を覆う面積が大きくなる。この場合、スピーカ１０，１０Ａの音圧レベルの低下と周波数特性の高音域が減衰することから、第２のイコライザ１４の幅Ｗを無暗に大きくすることは好ましくない。ここでは、第２のイコライザ１４の幅Ｗは、１０ｍｍ〜２０ｍｍ程度としている。本実施の形態のように、振動板口径φ１が３０ｍｍの場合では、この数値とすることで良好な周波数特性を得ることができる。
【００２４】
図４は、図１に示すスピーカ１０の断面構造を示す図である。ここでは、バランスドーム型の振動板１３を有するツイータが例示されている。
【００２５】
図４に示されるように、本発明の第１の実施の形態にかかわるスピーカ１０は、円盤状の台部１６ａと円柱状の中心部１６ｂとからなるヨーク１６と、ドーナッツ状のマグネット１７と、ドーナッツ状のプレート１８とにより磁気回路を形成している。そして、半球面状に凸形状としたドーム部１３ｃを有する振動板１３は、その最外周となる水平状なエッジ１３ｂをバッフル１２によって支えられる構造になっている。また、振動板１３には、筒状のボイスコイル１９が支持体を介して接続されており、そのボイスコイル１９は、上述した磁気回路のギャップＧ内で振動自在となっている。この結果、ボイスコイル１９の振動が振動板１３に伝達され音を発生する。
【００２６】
また、第１のイコライザ１１は、振動板１３のドーム部１３ｃを覆うように配置され、両側の渡し線１５，１５の各両端が第１のイコライザ１１とバッフル１２にそれぞれ固定されることで、バッフル１２によって支持されている。また、第２のイコライザ１４，１４は、振動板１３のドーム部１３ｃを囲む部分となる斜面部１３ａの１／２程度を覆うように対称的に対向配置されると共に、バッフル１２と一体形成されている。なお、ドーム部１３ｃと斜面部１３ａとの間に水平なつなぎ部１３ｄが配置されており、第２のイコライザ１４，１４は、斜面部１３ａとつなぎ部１３ｄの合計幅の１／２を覆うように対向配置されている。斜面部１３ａを覆う程度は、１／３〜３／４が好ましいが、３／７〜４／７が周波数特性上は、より好ましい。第２のイコライザ１４，１４と、振動板１３との対向面１４ｄは、ここでは斜面かつ曲線形状になっている。なお、上述したように、ダイヤフラムリング２０が、振動板１３等を支持するために、プレート１８の図４で上側に配置されている。
【００２７】
なお、指向性の劣化は、数式１によって表現され、振動板１３上に対称的に対向配置される第２のイコライザ１４，１４間の距離Ｄによって、限界周波数は異なる。この距離Ｄは、第１のイコライザ１１の口径より小さくできないため、通常は、第１のイコライザ１１の口径より大きくなる。実験の結果、バランスドーム型の振動板１３の斜面部１３ａとつなぎ部１３ｄの総合計長の１／２を覆うのがよく、少なくとも改善される周波数の波長以上の距離を最小とする。すなわち、数式１で得られる有効振動板半径ａが最小値となる。たとえば、限界周波数ｆｃを改善すべく、その目標値を２０ｋＨｚとすると、数式１により、有効振動板半径ａは、８．５ｍｍとなり、振動板１３の有効直径は、１７ｍｍとなる。よって、第２のイコライザ１４，１４の間の距離Ｄの最小値は、１７ｍｍとなる。このため、バランスドーム型の振動板１３の斜面部１３ａとつなぎ部１３ｄの総合計長の１／２を覆うときに、その距離Ｄが１７ｍｍとなっていると、目標値をクリアできると共に、周波数特性が好ましいものとなる。なお、第２のイコライザ１４，１４を、振動板１３の外周側から中心軸線側に突出するように配置し、すなわち、斜面部１３ａの少なくとも一部を覆うように配置し、かつ距離Ｄを１７ｍｍ以上とすると、音圧レベルの低下を防止しつつ、正面軸を外れた方向の指向性の改善（目標値２０ｋＨｚまたはそれに近づく値を持つものへの改善）を図ったスピーカを得ることができる。
【００２８】
図５は、本発明の第１，第２の実施の形態にかかわるスピーカ１０，１０Ａの周波数特性を示す図であり、図１１に示す従来例との対比の意味で示した。図５、図１１ともに、Ｘは、正面特性を、Ｙは、指向性３０度における水平方向（＝第２のイコライザ１４，１４の配置方向と平行となる方向）の特性を、Ｚは、指向性３０度における垂直方向（＝第２のイコライザ１４，１４の配置方向に対し直角となる方向）の特性を示している。
【００２９】
図５と図１１の比較から明らかなように、本発明の実施の形態においては、第２のイコライザ１４，１４を対称的、すなわち互いに対向するように配置することにより、１０ｋＨｚ以上での水平方向の指向特性（Ｙ）を大幅に改善することができる。たとえば、１１ｋＨｚ〜１２ｋＨｚの周辺において、従来例の図１１では、水平方向の指向特性（Ｙ）が８７ｄＢ程度から７６ｄＢ程度まで急激に落ちている。それに対し、本発明の実施形態では、図５に示されるように、同じ１１ｋＨｚ〜１２ｋＨｚの周辺において、８７．５ｄＢ程度から７８ｄＢ程度までの音圧低下で抑えている。また、２０ｋＨｚ辺りでは、従来例（図１１参照）では水平方向の指向特性（Ｙ）が８０ｄＢを切ってしまっているのに対して、本発明の実施形態では、８０ｄＢ以上を確保している。
【００３０】
また、２ｋＨｚ〜１０ｋＨｚにおいても、特に、５ｋＨｚ周辺において、従来例では、３本のグラフ（スピーカ正面特性（Ｘ）、水平方向の指向特性（Ｙ）、垂直方向の指向特性（Ｚ））にばらつきがあり、特に、水平方向の指向特性（Ｙ）が低いのに対し、本発明の実施形態では、この範囲において３本のグラフが同じ領域でまとまっていることがわかる（図５参照）。
【００３１】
さらに、スピーカ１０，１０Ａは、振動板１３の前面に第１のイコライザ１１を設けて周波数特性の平坦化を行う第１のイコライザ１１と、振動板１３の前面に振動板１３の水平面に対して斜めの傾斜となる対向面１４ｄを持ち、かつ互いの対向する面が曲線または直線と曲線からなる第２のイコライザ１４，１４によって、音波の限界周波数ｆｃを高めている。
【００３２】
指向性の限界（周波数）は、数式１により表現されることは上述したとおりであるが、第２のイコライザ１４，１４の振動板１３との対向面１４ｄの形状は、斜面かつ曲線（＝曲面）となっており、定在波に影響されず、図１１に示す従来例と比較して周波数特性も滑らかになっていることがわかる。また、第２のイコライザ１４，１４と振動板１３との間隙は、平行であるほど得られる効果は大きいが、周波数特性に関しては斜めのほうがよく、内側に傾斜する斜めとすると、音波の流れが振動板１３の中心部に集まる効果が得られる。特許文献１に示す従来のものの周波数特性によれば、振動板とイコライザとの間は、一定間隙のため定在波の影響を受けやすく、周波数特性にうねりが想定される。特に、大振幅時には空気の非直線歪が大きくなり異音発生の原因になる。これに対し、スピーカ１０，１０Ａでは、このような問題は無くなる。
【００３３】
なお、指向性の偏りをなくすため、第２のイコライザ１４，１４は、各実施の形態のように、対称位置に取り付けるのが好ましい。また、第２のイコライザ１４，１４の厚みは、５ｍｍ程度がよい。厚みは、音波の反射を考慮すると、一定の厚さが必要で、３ｍｍ〜１０ｍｍが好ましい。１０ｍｍ以下とすると、薄型化の面で有利となる。第２のイコライザ１４，１４の幅Ｗは、振動板口径φ１にもよるが、本実施の形態のように、振動板口径φ１が３０ｍｍの場合では、幅Ｗは、１０ｍｍ〜２０ｍｍが効果的で、１２ｍｍ〜１７ｍｍがより効果的である。
【００３４】
以上の説明のように、本発明の第１，第２の実施の形態にかかわるスピーカ１０，１０Ａによれば、振動板口径φ１から決定される限界周波数ｆｃを高めることができる。振動板口径φ１が３０ｍｍのものは、従来構成では、限界周波数１１．３ｋＨｚであったが、本発明を採用すると、距離Ｄを２０ｍｍとしたとき、理論上、１７ｋＨｚまで拡大でき、しかも、図５に示されるように、スピーカ１０，１０Ａの正面軸の高音域の音圧レベルの低下も少ないことがわかる。
【００３５】
また、本発明の各実施の形態によれば、第２のイコライザ１４，１４を配置することにより、設定された方向の指向特性は、振動板１３の見かけ上の口径が減少したのと等価となり、したがって指向特性を改善することができる。このように、第２のイコライザ１４，１４で設定した方向の指向特性と、未設定の方向とでは指向性が異なり、指向性の制御を行うことができる。本発明の実施の形態によれば、正面軸を外れた方向の周波数特性が良好となり、指向性の改善が図られたスピーカとなる。
【００３６】
さらに、車載用スピーカとすると、次のような利点がある。すなわち、車載用スピーカでは、スピーカの正面で音を聴くことができない場合が多いが、本発明の実施の形態のスピーカ１０，１０Ａでは、目的の方向に必要な音波をコントロールして高音域の音質改善を図ることができる。図５と図１１の比較によって明らかであるように、本発明の実施の形態においては、第２のイコライザ１４を設置することにより、必要となる特定の方向（上述の実施形態では水平方向）の指向特性を改善したスピーカ１０，１０Ａを提供することが可能となる。なお、第２のイコライザ１４の設置位置を適宜変更することにより、スピーカ１０，１０Ａに対して、どの方向への指向特性を改善するかを特定（選択）することができる。
【００３７】
次に、本発明の第３の実施の形態にかかわるスピーカ３０について図面を参照しながら説明する。なお、第３の実施の形態にかかわるスピーカ３０において、第１，第２の実施の形態と共通する事項については、同一の符号を付すと共に、その説明を省略または簡略化する。
【００３８】
図６は、本発明の第３の実施の形態にかかわるスピーカ３０の外観構造を示す図である。
【００３９】
図６に示されるように、本発明の第３の実施の形態にかかわるスピーカ３０は、第１のイコライザ１１と、振動板１３と、第２のイコライザ１４と、バッフル３２を有している。第１のイコライザ１１は、振動板１３の前面の中央部に、その振動板１３に対して所定の間隙をおいて配置されている。バッフル３２は、振動板１３の中心軸線を中心とする円周Ｈで示される境界線に沿って２つの領域に分割されており、その内側の領域である可動バッフル３４と、その外側の領域である固定バッフル３６とを有している。すなわち、可動バッフル３４は、円周Ｈの内側の領域にドーナッツ状に形成されており、固定バッフル３６は、その外周を覆うように形成されている。固定バッフル３６は、プレート１８に固定されている（図７参照）。可動バッフル３４は、振動板１３の中心軸線を中心として固定バッフル３６に対して相対回転可能となっている。
【００４０】
第２のイコライザ１４，１４は、可動バッフル３４に結合されている。ここでは、可動バッフル３４と第２のイコライザ１４は同じ材料で一体形成される。第１のイコライザ１１は、渡し線１５，１５によって可動バッフル３４に結合されている。したがって、可動バッフル３４を回転させると、第１のイコライザ１１および第２のイコライザ１４，１４は、可動バッフル３４と一体的に回転する。このように、第１のイコライザ１１および第２のイコライザ１４，１４を可動バッフル３４と一体的に回転させることにより、第２のイコライザ１４，１４の指向性が良好となる方向を調整することができる。
【００４１】
図７は、本発明の第３の実施の形態にかかわるスピーカ３０の断面構造を示す図である。
【００４２】
図７に示されるように、本発明の第３の実施の形態にかかわるスピーカ３０は、ヨーク１６と、マグネット１７と、プレート１８とにより磁気回路を形成している。振動板１３は、そのエッジ１３ｂを固定バッフル３６によって支えられる構造になっている。また、振動板１３には、筒状のボイスコイル１９が支持体を介して接続されている。
【００４３】
上述したように、バッフル３２は、可動バッフル３４と、固定バッフル３６とから構成されている。第１のイコライザ１１は、振動板１３のドーム部１３ｃを覆うように配置され、両側の渡し線１５，１５の各両端が第１のイコライザ１１と可動バッフル３４にそれぞれ固定されることで、可動バッフル３４によって支持されている。また、第２のイコライザ１４，１４は、可動バッフル３４と一体形成されている。図７に示すように、可動バッフル３４は、第２のイコライザ１４，１４の下方から外方に向かって延出する延出部３４ａを有している。延出部３４ａは、ドーナッツ状の可動バッフル３４の周方向外側に全周に亘って設けられている。また、本実施の形態においても第２のイコライザ１４，１４と振動板１３との対向面１４ｄは、斜面かつ曲線形状に形成されている。
【００４４】
固定バッフル３６は、プレート１８の上方に固定されている。固定バッフル３６は、プレート１８に固定されるリング状の基台部３６ａと、基台部３６ａの外縁から延出部３４ａの外側全周を覆うように上方に向かい、さらに内側に向かって延出する覆い部３６ｂとを有している。基台部３６ａの内周側であり、かつ裏側には、上方に向かって段差状に切り欠かれた裏段部３６ｃが全周に亘って形成されている。該裏段部３６ｃにプレート１８の外周側を嵌め込み、両者の間に接着剤等を介在させることより、固定バッフル３６がプレート１８に対して固定されている。また、基台部３６ａの内周側であり、かつ表側には、下方に向かって低い段差状に切り欠かれた表段部３６ｄが全周に亘って形成されている。該表段部３６ｄに振動板１３のエッジ１３ｂを嵌め込むことにより、位置決めされると共に、接着剤にて振動板１３は、バッフル３２に対して固定される。なお、表段部３６ｄを形成せずにエッジ１３ｂを鉛直下方に折り曲げ、該エッジ部１３ｂを固定バッフル３６の内周面に固定するようにしても良い。
【００４５】
覆い部３６ｂと基台部３６ａとの間の空間に延出部３４ａが納まることにより、可動バッフル３４が固定バッフル３６に対して回転可能に保持されている。さらに、延出部３４ａの表面３４ｂと覆い部３６ｂの裏面３６ｅには、固定バッフル３６に対して可動バッフル３４の位置決めを行う位置決め機構３８が設けられている（図８および図９参照）。
【００４６】
図８は、位置決め機構３８の一部を構成する凹凸４０の構成を説明するための図であり、（Ａ）は、凹凸４０を備えた可動バッフル３４の部分的な斜視図であり、（Ｂ）は、（Ａ）における矢示Ｊ方向から見た凹凸４０の正面図である。図９は、位置決め機構３８の一部を構成する係合部４１の構成を説明するための図であり、（Ａ）は、係合部４１を備えた固定バッフル３６の部分的な斜視図であり、（Ｂ）は、係合部４１を構成する板状スプリング４２の斜視図である。
【００４７】
位置決め機構３８は、可動バッフル３４の表面３４ｂに形成される凹凸４０と固定バッフル３６の覆い部３６ｂの裏面３６ｅに形成される係合部４１とから構成されている（図８および図９参照）。図８（Ａ）に示すように、凹凸４０は、延出部３４ａにおける表面３４ｂの全周に亘って形成されている。凹凸４０の表面形状は、図８（Ｂ）に示すように、滑らかな波線状に形成されている。なお、凹凸４０の形状は、滑らかな波線状に限定されるものではなく、鋭角の三角形の凹凸もしくは滑らかな四角形の凹凸が連続形成されるような他の形態としても良い。
【００４８】
係合部４１は、金属製の板状スプリング４２を裏面３６ｅに取り付けることにより構成されている。板状スプリング４２は、図９（Ｂ）に示すように、金属平板を略Ｕ字状に湾曲させた湾曲部４２ａと、当該湾曲部４２ａの両端から外方に向かって延出する平板状の平板部４２ｂ，４２ｂとを有している。湾曲部４２ａの湾曲の程度は、凹凸４０の凹部４０ａの断面形状と略同一となるように形成されている。
【００４９】
板状スプリング４２は、平板部４２ｂを裏面３６ｅに固定することにより覆い部３６ｂに取り付けられる（図９（Ａ）参照）。板状スプリング４２の固定方法は、裏面３６ｅと平板部４２ｂとの間に接着剤を介在させるようにしても良いし、平板部４２ｂを裏面３６ｅにネジ止めするようにしても良い。なお、係合部４１は、金属製の板状スプリング４２に限定せず、湾曲部４２ａを有する樹脂製の板状部材から構成するようにしても良いし、裏面３６ｅから下方に向かって突出する突起としても良い。また、凹凸４０の形状に対応させて、湾曲部４２ａの形状を鋭角の三角形もしくは滑らかな四角形としても良い。
【００５０】
位置決め機構３８において可動バッフル３４が固定バッフル３６に位置決めされた状態では、湾曲部４２ａが凹部４０ａに嵌まっており、両者が面接触した状態となっている。この状態では、湾曲部４２ａの両側に凸部４０ｂが存在するため、可動バッフル３４の周方向への移動は規制される。しかし、可動バッフル３４に周方向に向かう力を加えると、湾曲部４２ａが撓み、凸部４０ｂを乗り越えて隣接する凹部４０ａに移動する。このように、可動バッフル３４を周方向に回転させて、所定の凹部４０ａに湾曲部４２ａを係合させることで、第２のイコライザ１４，１４を所定の位置に位置決めすることが可能となる。また、可動バッフル３４を回転させる際には、湾曲部４２ａが凸部４０ｂを乗り越えながら周方向に移動するため、クリック感を得ることができる。
【００５１】
以上の説明のように、本発明の第３の実施の形態にかかわるスピーカ３０によれば、ドアパネル等の設置位置への取付け前でも取付け後であっても、可動バッフル３４を回転させることによって、第２のイコライザ１４，１４により指向性が改善される方向を容易に調節することが可能となる。したがって、スピーカ３０の取り付け位置に影響されることなく、目的の方向に必要な音波をコントロールして高音域の音質改善を図ることができる。特に、車載用スピーカでは、スピーカは車両のフロントドアの前方における下部等、様々な位置に取り付けられることが多い。このため、スピーカ正面で音を聞く機会がとれない場合が多々想定される。このような場合、可動バッフル３４を回転させて、第２のイコライザ１４，１４を結ぶ線をスピーカ３０の前方に垂直状に引き伸ばしたとき、その垂直板上に耳がくるようにすることにより、目的の方向においてより高音域の音質を得ることが可能となる。このため、スピーカ３０の設置位置をその都度変更することなく、可動バッフル３４を回転させるだけで必要な方向における指向特性を改善することができる。
【００５２】
また、スピーカ３０では、凹凸４０に係合部４１を係合させて位置決めを行う位置決め機構３８を採用しているため、単純な機構によって可動バッフル３４を位置決めすることが可能となる。このため、スピーカ３０の機構が複雑化することを防止できる。また、位置決めの際にクリック感を得ることができるため、位置決めするための位置を認識しやすくなる。
【００５３】
以上、本発明の各実施の形態につき図面を参照して詳述したが、具体的な構成はこの各実施の形態に限られるものではなく、この発明の要旨を逸脱しない範囲で種々変更できる。
【００５４】
たとえば、上述の各実施の形態では、第２のイコライザ１４を対向させて２つ配置したが、第２のイコライザ１４は、１つとしたり、３つ以上としても良い。また、第２のイコライザ１４の振動板１３の中心軸線に向かう面は、曲線を含むものとしたが、直線のみで形成しても良い。
【００５５】
また、上述のスピーカ１０，３０では、第１のイコライザ１１の直線方向、すなわち渡し線１５の橋渡し方向、に対して直交させて２つのイコライザ１４，１４を対称的に配置し、スピーカ１０Ａでは、第１のイコライザ１１の直線方向と同じ方向に２つの第２のイコライザ１４，１４を対称的に配置したが、第２のイコライザ１４，１４の配置方向は、第１のイコライザ１１の直線方向に対して４５度の角度をもって交わるように配置したり、他の角度をもって交わるように配置しても良い。また、第２のイコライザ１４が１つのみ配置される場合も、第１のイコライザ１１の直線方向や直交する方向が好ましいが、他の位置に配置しても良い。
【００５６】
また、第２のイコライザ１４は、バッフル１２や可動バッフル３４と一体化されているが、別部材で形成し、バッフル１２や可動バッフル３４に固定するようにしても良い。さらに、第２のイコライザ１４の振動板１３に対向する対向面１４ｄは、振動板１３の中心軸線側に向かう程、振動板１３に近づくようにされた断面曲線状の斜面とされているが、中心軸線に対し直交する平面、すなわち、図４で水平方向に伸びる平面（この場合、振動板１３と第２のイコライザ１４との間隔は一定とみなされる）としたり、中心軸線に近づく程、振動板１３側に近づく直線状の斜面としても良い。このように、断面曲線状の斜面や断面直線状の斜面等、対向面１４ｄを斜面とすると、定在波が乗りにくく、周波数特性も滑らかになる。
【００５７】
また、振動板が斜面部を有さない平面状なものであったり、振動板が斜面部の外周に平面部などを有しているものに、本発明を適用する場合は、第２のイコライザ１４は、必ずしも斜面部を覆う必要はない。第２のイコライザ１４は、振動板の外周側から中心軸線側に突出するように配置されていれば良いのである。さらに、周波数特性の平坦化を少し犠牲にしてもよい場合などでは、第１のイコライザ１１を省略しても良い。また、上述した各実施の形態では、高音用のスピーカを例示したが、中音用のスピーカや低音用のスピーカにも、本発明を適用することができる。また、本発明は、車載用のスピーカに適用するのが好ましいが、他の用途のスピーカにも適用できる。
【００５８】
また、上述の第３の実施の形態では、第２のイコライザ１４は、可動バッフル３４と一体化されているが、第２のイコライザ１４をフレーム等の別の部材に固定し、当該フレーム等を回転可能とするようにしても良い。また、可動バッフルを外周側とし、第２のイコライザ１４を一体化し、内周側を固定バッフルとしても良い。また、２つの第２のイコライザ１４のうちの１つを可動バッフルに固定し、他の１つを固定バッフルに固定するようにしても良い。
【００５９】
また、上述の第３の実施の形態では、表面３４ｂに凹凸４０を形成し、裏面３６ｅに係合部４１を設けているが、これとは逆に、表面３４ｂに係合部４１を設け、裏面３６ｅに凹凸４０を形成するようにしても良い。また、凹凸４０を設けることなく、表面３４ｂを平坦な面として係合部４１と接触するような構成としても良い。このような構成とすることで、可動バッフル３４は表面３４ｂと係合部４１との接触力によって位置決めされ、第２のイコライザ１４，１４の位置を任意な位置に位置決めすることが可能となる。
【００６０】
また、上述の第３の実施の形態では、位置決め機構３８を可動バッフル３４の表面３４ｂと固定バッフル３６の裏面３６ｅに設けたが、位置決め機構３８の位置は、この位置に限定されるもののではなく、例えば、可動バッフル３４の延出部３４ａの外周側等、他の位置に設けるようにしても良い。
【図面の簡単な説明】
【００６１】
【図１】本発明の第１の実施の形態にかかわるスピーカの外観構造を示す図である。
【図２】本発明の第２の実施の形態にかかわるスピーカの外観構造を示す図である。
【図３】図１および図２に示すスピーカの第２のイコライザの例を示す図で、（Ａ）は、振動板の中心軸線側に向かう面が曲線部と直線部からなるものを示す図で、（Ｂ）は、該中心軸線側に向かう面が曲線部のみからなるものを示す図である。
【図４】本発明の第１の実施の形態にかかわるスピーカの断面構造を示す図である。
【図５】本発明の第１，第２の実施の形態にかかわるスピーカの周波数特性を示す図である。
【図６】本発明の第３の実施の形態にかかわるスピーカの外観構造を示す図である。
【図７】本発明の第３の実施の形態にかかわるスピーカの断面構造を示す図である。
【図８】本発明の第３の実施の形態にかかわるスピーカの位置決め機構の一部を構成する凹凸の構成を説明するための図であり、（Ａ）は、凹凸を備えた可動バッフルの部分的な斜視図であり、（Ｂ）は、（Ａ）における矢示Ｊ方向から見た凹凸の正面図である。
【図９】本発明の第３の実施の形態にかかわるスピーカの位置決め機構の一部を構成する係合部の構成を説明するための図であり、（Ａ）は、係合部を備えた固定バッフルの部分的な斜視図であり、（Ｂ）は、係合部を構成する板状スプリングの斜視図である。
【図１０】従来のスピーカを示す図で、（Ａ）はその外観構造を示す図で、（Ｂ）は、その概略断面を示す図である。
【図１１】従来のスピーカの周波数特性を示す図である。
【符号の説明】
【００６２】
１０，１０Ａ，３０・・・スピーカ、１１・・・第１のイコライザ、１２・・・バッフル、１３，３２・・・振動板、１３ａ・・・斜面部、１４・・・第２のイコライザ、１４ｄ・・・対向面、１６・・・ヨーク、１７・・・マグネット、１８・・・プレート、１９・・・ボイスコイル、２０・・・ダイヤフラムリング３４・・・可動バッフル（内側領域）、３６・・・固定バッフル（外側領域）、４０・・・凹凸、４０ａ・・・凹部、４１・・・係合部
【図１】
2008136165.tif 000003
【図２】
2008136165.tif 000004
【図３】
2008136165.tif 000005
【図４】
2008136165.tif 000006
【図５】
2008136165.tif 000007
【図６】
2008136165.tif 000008
【図７】
2008136165.tif 000009
【図８】
2008136165.tif 000010
【図９】
2008136165.tif 000011
【図１０】
2008136165.tif 000012
【図１１】
2008136165.tif 000013